【手続補正書】
【提出日】平成30年10月19日(2018.10.19)
【手続補正１】
【補正対象書類名】明細書
【補正対象項目名】００６６
【補正方法】変更
【補正の内容】
【００６６】
本発明の様々な実施形態について記載してきた。これらの実施形態及び他の実施形態は、以下の特許請求の範囲に含まれるものである。本発明の実施態様の一部を以下の［項目１］−［項目１７］に記載する。
［項目１］
ウェブ材料を搬送するためのウェブ経路であって、
前記ウェブ材料の単一主面と接触する少なくとも２つの支持ローラを含み、前記ウェブ材料は不定長であり、第１縁部及び第２縁部を有し、前記支持ローラは、
前記ウェブ材料の第１縁部区域と接触する第１支持ローラと、
前記ウェブ材料の第２縁部区域と接触する第２支持ローラとを含み、
前記ウェブ材料は、前記ウェブ材料の幅の少なくとも約５０％を含む、前記第１支持ローラと前記第２支持ローラとの間の非接触区域を含み、
前記第１支持ローラ及び前記第２支持ローラの少なくとも一方は、前記第１支持ローラ及び前記第２支持ローラの少なくとも一方が前記ウェブ材料の移動方向に対して角度を成すように、曲げられたシャフト上に支持されている、ウェブ経路。
［項目２］
前記第１支持ローラ及び前記第２支持ローラの両方が、前記ウェブの移動方向に対して角度を成している、項目１に記載のウェブ経路。
［項目３］
前記支持ローラは、ｘ−ｙ平面内において、前記シャフトの長手方向軸ｙと垂直な方向ｘに対して角度θを成し、前記角度θは約０°より大きく約６°未満である、項目１又は２に記載のウェブ経路。
［項目４］
前記少なくとも１つのローラがまた、前記ウェブの移動方向と垂直な方向に対して角度を成している、項目１に記載のウェブ経路。
［項目５］
前記支持ローラの少なくとも１つの周囲のラップ角は、約９０°〜約２３０°である、項目１〜４のいずれか一項に記載のウェブ経路。
［項目６］
ウェブ材料を移送するための装置であって、前記装置は、
少なくとも２つの支持ローラを含み、
第１支持ローラは、その幅よりも実質的に大きな長さを有する前記ウェブ材料の第１の面の第１縁部区域と係合し、
第２支持ローラは、前記ウェブ材料の前記第１の面の第２縁部区域と係合し、前記ローラそれぞれは前記ウェブ材料の前記幅よりも実質的に小さな幅を有し、
前記支持ローラそれぞれは、曲げられたシャフト上で回転可能であり、前記支持ローラの少なくとも１つは、ｘ−ｙ平面内において、前記シャフトの長手方向軸ｙと垂直な方向ｘに対して角度θを成し、前記角度θは約０°より大きく約６°未満である、装置。
［項目７］
前記シャフトと実質的に平行な中心ロッドと、前記中心ロッド及び前記シャフトに取り付けられた三角形アームと、前記支持ローラの少なくとも一方がｘ−ｙ平面内において、約０°より大きく、約２°未満の角度を成すように、前記シャフトの長手方向軸ｙと垂直な方向ｘに沿って前記シャフトを十分に曲げるように、前記中心ロッドと当接するプッシュロッドとを備える、三角形連結具を更に含む、項目６に記載の装置。
［項目８］
前記角度θが、０°よりも大きく、約１°未満である、項目６に記載の装置。
［項目９］
前記第１縁部区域及び前記第２縁部区域が、前記ウェブ材料の幅の約５０％未満を含む、項目６に記載の装置。
［項目１０］
前記第１縁部区域及び前記第２縁部区域が、前記ウェブ材料の幅の約２０％未満を含む、項目６に記載の装置。
［項目１１］
前記ウェブ材料が、前記第１ローラ及び前記第２ローラを、約９０°〜約２３０°の角度で包んでいる、項目６に記載の装置。
［項目１２］
前記第１ローラ及び前記第２ローラが同じ角度θを成している、項目６に記載の装置。
［項目１３］
方法であって、
ウェブ材料の第１の面の第１縁部区域を、第１支持ローラと係合させる工程であって、前記第１支持ローラは、シャフトの第１端部上で回転可能であり、前記ウェブ材料は、その幅よりも実質的に大きな長さを有する、工程と、
前記ウェブ材料の前記第１の面の第２縁部区域を、第２支持ローラに係合させる工程であって、前記第２支持ローラは前記シャフトの前記第１端部と反対側の第２端部上で回転可能であり、前記ウェブ材料の幅の少なくとも約８０％を含む、前記第１ローラと前記第２ローラとの間の中央区域は、ローラにより支持されていない、工程と、
前記ウェブ材料で、前記第１ローラ及び前記第２ローラを、約９０°〜約２３０°の角度で包む工程と、
前記支持ローラの少なくとも１つを、ｘ−ｙ第１平面内において、前記シャフトの長手方向軸ｙと垂直な方向ｘに対して角度θを成すように向ける工程であって、前記角度θは約０°より大きく約６°未満である、工程とを含む、方法。
［項目１４］
前記支持ローラを向ける工程が、前記シャフトを曲げる工程を含む、項目１３に記載の方法。
［項目１５］
前記支持ローラを向ける工程は、少なくとも１つのプッシュロッドにより、前記方向ｘに沿って、前記第１支持ローラと前記第２支持ローラとの間の前記シャフトの一部に力をかける工程を含む、項目１４に記載の方法。
［項目１６］
ウェブ材料をコーティングするための方法であって、前記方法は、
前記ウェブ材料の第１の面の第１縁部区域を、第１支持ローラと係合させる工程であって、前記第１支持ローラは、シャフトの第１端部上で回転可能であり、前記ウェブ材料は、その幅よりも実質的に大きな長さを有する、工程と、
前記ウェブ材料の前記第１の面の第２縁部区域を、第２支持ローラに係合させる工程であって、前記第２支持ローラは前記シャフトの前記第１端部と反対側の第２端部上で回転可能であり、前記ウェブ材料の幅の少なくとも約８０％を含む、前記第１ローラと前記第２ローラとの間の中央区域は、ローラにより支持されていない、工程と、
前記第１及び第２支持ローラを、ｘ−ｙ第１平面内において、前記シャフトの長手方向軸ｙと垂直な方向ｘに対して角度θを成すように向けるために十分なだけ前記シャフトを曲げる工程であって、前記角度θは約０°より大きく約６°未満である、工程と、
前記第１及び第２支持ローラ上で前記ウェブ材料を移送する工程と、
前記ウェブ材料の前記第１の面と反対側の第２の面にコーティング組成物を適用する工程と、
前記コーティング組成物を処理して、前記ウェブ材料の前記第２の面上にコーティング層を形成する工程とを含む、方法。
［項目１７］
ウェブ材料を搬送するためのウェブ経路であって、
前記ウェブ材料の単一主面と接触する少なくとも２つの支持ローラを備え、前記ウェブ材料は不定長であり、第１及び第２縁部を有し、前記ウェブ材料は前記支持ローラを、約９０°〜約２３０°のラップ角度で包み、前記支持ローラは、
前記ウェブ材料の第１縁部区域と接触する第１支持ローラと、
前記ウェブ材料の前記第１縁部と反対側の第２縁部区域と接触する第２支持ローラであって、前記ウェブ材料は、前記ウェブ材料の幅の少なくとも約５０％を含む、前記第１支持ローラと前記第２支持ローラとの間の非接触区域を含む、第２支持ローラとを含み、
前記第１支持ローラ及び前記第２支持ローラの少なくとも一方が、前記ウェブの移動方向に対して角度を成している、ウェブ経路。
【手続補正２】
【補正対象書類名】特許請求の範囲
【補正対象項目名】全文
【補正方法】変更
【補正の内容】
【特許請求の範囲】
【請求項１】
ウェブ材料を移送するための装置であって、前記装置は、
少なくとも２つの支持ローラを含み、
第１支持ローラは、その幅よりも実質的に大きな長さを有する前記ウェブ材料の第１の面の第１縁部区域と係合し、
第２支持ローラは、前記ウェブ材料の前記第１の面の第２縁部区域と係合し、前記ローラそれぞれは前記ウェブ材料の前記幅よりも実質的に小さな幅を有し、
前記支持ローラそれぞれは、曲げられたシャフト上で回転可能であり、前記支持ローラの少なくとも１つは、ｘ−ｙ平面内において、前記シャフトの長手方向軸ｙと垂直な方向ｘに対して角度θを成し、前記角度θは約０°より大きく約６°未満である、装置。
【請求項２】
前記シャフトと実質的に平行な中心ロッドと、前記中心ロッド及び前記シャフトに取り付けられた三角形アームと、前記支持ローラの少なくとも一方がｘ−ｙ平面内において、約０°より大きく、約２°未満の角度を成すように、前記シャフトの長手方向軸ｙと垂直な方向ｘに沿って前記シャフトを十分に曲げるように、前記中心ロッドと当接するプッシュロッドとを備える、三角形連結具を更に含む、請求項１に記載の装置。
【請求項３】
前記ウェブ材料が、前記第１ローラ及び前記第２ローラを、約９０°〜約２３０°の角度で包んでいる、請求項１に記載の装置。
【請求項４】
前記第１ローラ及び前記第２ローラが同じ角度θを成している、請求項１に記載の装置。
【請求項５】
方法であって、
ウェブ材料の第１の面の第１縁部区域を、第１支持ローラと係合させることであって、前記第１支持ローラは、シャフトの第１端部上で回転可能であり、前記ウェブ材料は、その幅よりも実質的に大きな長さを有する、ことと、
前記ウェブ材料の前記第１の面の第２縁部区域を、第２支持ローラに係合させることであって、前記第２支持ローラは前記シャフトの前記第１端部と反対側の第２端部上で回転可能であり、前記ウェブ材料の幅の少なくとも約８０％を含む、前記第１ローラと前記第２ローラとの間の中央区域は、ローラにより支持されていない、ことと、
前記ウェブ材料で、前記第１ローラ及び前記第２ローラを、約９０°〜約２３０°の角度で包むことと、
前記支持ローラの少なくとも１つを、ｘ−ｙ第１平面内において、前記シャフトの長手方向軸ｙと垂直な方向ｘに対して角度θを成すように向けることであって、前記角度θは約０°より大きく約６°未満である、こととを含む、方法。
【請求項６】
前記支持ローラを向けることが、前記シャフトを曲げることを含み、任意に、前記支持ローラを向けることは、少なくとも１つのプッシュロッドにより、前記方向ｘに沿って、前記第１支持ローラと前記第２支持ローラとの間の前記シャフトの一部に力をかけることを含む、請求項５に記載の方法。